(57)【特許請求の範囲】
【請求項１】
乾電池(９)の両極(90)(91)に対応して、端子片(81)(82)を設け、乾電池(９)の長手方向に沿って延び、乾電池(９)の周面を受ける周壁(84)を設けた電池ケースに於いて、
周壁(84)には、乾電池(９)の下端部が嵌まる開口(85)が開設され、該開口(85)の下側には、乾電池(９)から漏れた液体を吸収する保護シート(95)が配備されたことを特徴とする電池ケース。
【請求項２】
メモリカード(65)が収納されるカード収納部(３)と、該カード収納部(３)の上側に配備され、乾電池(９)が収納される電池ケース(８)と、電池ケース(８)とカード収納部(３)を重ねた厚みと略等しい厚みに形成され、電池ケース(８)とカード収納部(３)の側方に配備されるディスク記録又は再生装置(７)とを具え、
電池ケース(８)は、乾電池(９)の両極(90)(91)に対応して、端子片(81)(82)を設け、乾電池(９)の長手方向に沿って延び、乾電池(９)の周面を受ける周壁(84)を設け、
周壁(84)には、乾電池(９)の下端部が嵌まる開口(85)が開設され、該開口(85)の下側には、乾電池(９)から漏れた液体を吸収する保護シート(95)が配備されたことを特徴とする電気機器。
【発明の詳細な説明】
【０００１】
【発明の属する技術分野】
本発明は、電池ケース及び該電池ケースを具えた電気機器に関する。
【０００２】
【従来の技術】
図８は、従来の一般的な電池ケース(８)の平面図であり、図９は、図８をＡ−Ａ線を含む面にて破断した断面図である。電池ケース(８)は、２つの収納室(88)(88)を並べて設け、各収納室(88)に乾電池(９)が収納される。収納室(88)内には、乾電池(９)の両極(90)(91)に対向して端子片(81)(82)が設けられ、乾電池(９)の周面は、乾電池(９)の長手方向に延びた収納室(88)の周壁(84)に受けられる。一方の端子片(81)は、板バネを折曲して構成され、他方の端子片(82)に向かって乾電池(９)を押圧接触させる。この状態で、乾電池(９)から端子片(81)(82)に通電される。
【０００３】
【発明が解決しようとする課題】
電池ケース(８)が用いられる機器にあっては、薄型化が要望されているものがあり、電池ケース(８)も薄くする必要がある。出願人はこの薄型化の手段として、収納室(88)の底面を開口させて、乾電池(９)の下端部を落ち込ませることを着想した。
しかし、乾電池(９)を長時間使用したり、新旧の乾電池(９)を混ぜて使用した場合、乾電池(９)から内部の電解液が漏れることがある。この場合、乾電池(９)からの電解液が開口から落下し、電池ケース(８)の下方に位置する他の機器を傷める虞れがある。
本発明の目的は、電池ケースの薄型化と乾電池から漏れた電解液の落下防止の両方を達成することにある。
【０００４】
【課題を解決する為の手段】
乾電池(９)の周面を受ける周壁(84)には、乾電池(９)の下端部が嵌まる開口(85)が開設され、該開口(85)の下側には、乾電池(９)から漏れた液体を吸収する保護シート(95)が配備されている。
【０００５】
【作用及び効果】
乾電池(９)は、電池ケース(８)に収納された状態で、下端部が開口(85)に嵌まる。即ち、乾電池(９)は下端部が開口(85)に落ち込むから、電池ケース(８)の下端から、乾電池(９)の上端までの高さは低くできる。これにより、電池ケース(８)が薄型化できる。また、開口(85)の下側には、保護シート(95)が配備されており、乾電池(９)から漏れた電解液が開口(85)を通って流れても、保護シート(95)に吸収されるから、電池ケース(８)の下方に他の機器が位置しても、該機器を傷める虞れはない。
【０００６】
【発明の実施の形態】
以下、本発明の一例を図を用いて詳述する。
図１は、本例に係わる装置の斜視図である。本例は携帯用の所謂電子アルバムに関するものであり、キャビネット(１)内には、厚薄２種類のメモリカード(65)(66)が収納されるカード収納部(３)、該カード収納部(３)の真上に位置して、複数の乾電池が並べて収納される電池ケース(８)が設けられている。キャビネット(１)内にて電池ケース(８)とカード収納部(３)の側方には、両メモリカード(65)(66)よりも大容量のディスク(60)を内包したカートリッジ(６)が収納されるディスク記録又は再生装置(７)が設けられている。両メモリカード(65)(66)は、十から数十ＭＢyte程度の容量であり、カートリッジ(６)内のディスク(60)は数百ＭＢyte程度の容量であり、ディスク(60)とメモリカード(65)(66)間にてデータが転送される。
キャビネット(１)上にて、電池ケース(８)とディスク記録又は再生装置(７)間には、データ保存状態を示す表示部(２)、操作釦(32)(32)、データ転送方向を示す保存表示ランプ(４)(40)、データ格納時に押される保存釦(45)が設けられている。
【０００７】
電池ケース(８)の天面には、手動開閉式の蓋体(80)が設けられ、該蓋体(80)内に複数本、具体的には４本の乾電池が並列に収納される。カード収納部(３)には、両メモリカード(65)(66)の収納口(30)(31)が開設され、厚手のメモリカード(65)用の収納口(30)の側方には、該メモリカード(65)取出し用の取出し釦(71)が設けられている。
カード収納部(３)の側面には、電源用釦(83)が設けられ、カード収納部(３)上にて収納口(30)(31)の近傍には、データ格納中であることを示す発光灯(41)が設けられている。
ディスク記録又は再生装置(７)の天面には、蓋体(70)が設けられ、ディスク記録又は再生装置(７)の正面には、蓋体(70)を開く際にスライド操作するイジェクト釦(72)が設けられている。
【０００８】
図２は、キャビネット(１)の背面図である。キャビネット(１)の背面にて、表示部(２)の下方には、端子(10)(11)が設けられている。端子(10)(11)は、具体的にはＩＥＥＥ１３９４仕様の端子、ＵＳＢ端子であり、各端子(10)(11)にＩＥＥＥ１３９４ケーブル、ＵＳＢケーブルを装着し、電源用釦(83)を操作すると、端子(10)(11)にケーブルが接続されたことが検知される。端子(10)(11)の側方には、交流電源コードが接続される電源コード用端子(12)が設けられている。
【０００９】
図３は、キャビネット(１)の正面断面図である。キャビネット(１)の内側底面にて、ディスク記録又は再生装置(７)及びカード収納部(３)の下方には、１枚の回路基板(15)が配備され、前記端子(10)(11)及び電源用ＩＣ、ディスク駆動用ＩＣは該回路基板(15)上に配備されている。ディスク記録又は再生装置(７)は、電池ケース(８)とカード収納部(３)を重ねた厚みと略等しい厚みに形成されている。
図４は、ディスク記録又は再生装置(７)を、図１のＢ方向から見た断面図である。ディスク記録又は再生装置(７)は、ディスク(60)に対してデータ信号を記録し、又ディスク(60)からデータ信号を再生するメカデッキ(５)を具える。
カートリッジ(６)を受けるシャーシ(50)には、ディスク中心に接近離間する向きに移動するピックアップ(51)が設けられ、該ピックアップ(51)にはヘッドレバー(52)を介して記録ヘッド(53)が設けられている。信号記録時には、ピックアップ(51)がディスク裏面にビームＢを発して、ビーム照射箇所をキュリー温度に熱しつつ、記録ヘッド(53)からデータ信号を供給する。再生時には、記録ヘッド(53)への通電を遮断し、ピックアップ(51)からビームを発してデータ信号を再生する。データ信号の記録又は再生中に、蓋体(70)が不用意に開くと、スムーズに記録又は再生されないから、データ信号の記録又は再生中は、イジェクト釦(72)をスライドしても、蓋体(70)が開かない工夫がされている。この工夫の詳細は、出願人が以前、特願２０００−１６６９５９号(未公開発明)に記載しており、説明を省く。
【００１０】
図５は、蓋体(80)を外した電池ケース(８)の平面図であり、図６は、電池ケース(８)をＣ−Ｃ線を含む面にて破断した断面図、図７は、電池ケース(８)をＤ−Ｄ線を含む面にて破断した断面図である。電池ケース(８)は、４つの収納室(88)(88)(88)(88)に仕切られ、各収納室(88)内に単３型の乾電池(９)が配備される。４本の乾電池(９)(９)(９)(９)は、互いに並列に配備されるが、電池ケース(８)に収納される乾電池(９)は４本に限定されない。収納室(88)の両端部には、乾電池(９)の両極(90)(91)に対応して端子片(81)(82)が設けられ、該端子片(81)(82)の形状は、図９に示すものと同じである。
４つの収納室(88)(88)(88)(88)のうち、手前の２つの収納室(88)(88)には、カード収納部(３)が対向している。キャビネット(１)を薄型化するには、カード収納部(３)と電池ケース(８)の合計厚みを薄くする必要がある。電池ケース(８)を薄くするために、以下の工夫をしている。
【００１１】
図５の手前の２つの収納室(88)(88)の下面には、乾電池(９)の下端部が嵌まる開口(85)が開設され、図６に示すように、乾電池(９)は下端部が開口(85)に落ち込んだ状態で、収納室(88)の周壁(84)に側部を支持される。収納室(88)の下面から乾電池(９)の上端までの高さＨ１は、従来の構成のＨ(図９参照)に比して低くでき、電池ケース(８)を薄くできる。
図５の奥側の２つの収納室(88)(88)は、カード収納部(３)に対向していないから、厚みを薄くする必要が少ない。従って、図７に示すように、開口(85)を設けずに、対向した周壁(84)(84)を連結板(86)にて繋いで、強度を高めている。
【００１２】
乾電池(９)を長時間使用したり、新旧の乾電池(９)を混ぜて使用した場合、性能の異なる乾電池、例えばマンガン乾電池とアルカリ乾電池を混ぜて使用した場合には、乾電池(９)から内部の電解液が漏れることがある。この場合、乾電池(９)からの電解液が開口(85)から落下し、電池ケース(８)の下方に位置するカード収納部(３)を傷める虞れがある。
従って、図６に示すように、手前に位置する収納室(88)(88)の開口(85)の下側に、電解液を吸収する保護シート(95)を貼り付けて、該電解液が電池ケース(８)から落下するのを防いでいる。保護シート(95)は、例えばフェルト等の不織布から形成されるが、他の材質であってもよいのは言うまでもない。保護シート(95)は薄手であり、電池ケース(８)の厚みに殆ど影響を与えない。
奥側の２つの収納室(88)(88)には、端子片(81)(82)の下方に、透孔(87)が開設され、乾電池(９)から漏れた電解液が収納室(88)内に溜まるのを防いでいる。該電解液が収納室(88)内に溜まるのを効果的に防ぐべく、連結板(86)を乾電池(９)の長手方向に沿って傾けて、一方の透孔(87)から排出してもよい。
【００１３】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【図１】本例に係わる装置の斜視図である。
【図２】キャビネットの背面図である。
【図３】キャビネットの正面断面図である。
【図４】ディスク記録又は再生装置を、図１のＢ方向から見た断面図である。
【図５】蓋体を外した電池ケースの平面図である。
【図６】電池ケースをＣ−Ｃ線を含む面にて破断した断面図である。
【図７】電池ケースをＤ−Ｄ線を含む面にて破断した断面図である。
【図８】従来の一般的な電池ケースの平面図である。
【図９】図８をＡ−Ａ線を含む面にて破断した断面図である。
【符号の説明】
(３)  カード収納部
(７)  ディスク記録又は再生装置
(８)  電池ケース
(81)  端子片
(82)  端子片
(84)  周壁
(85)  開口
(９)  乾電池
【図１】
0003895951.tif 000002
【図２】
0003895951.tif 000003
【図３】
0003895951.tif 000004
【図４】
0003895951.tif 000005
【図５】
0003895951.tif 000006
【図６】
0003895951.tif 000007
【図７】
0003895951.tif 000008
【図８】
0003895951.tif 000009
【図９】
0003895951.tif 000010